(57)【特許請求の範囲】
【請求項１】
切返し部材と、
前記切返し部材からａ寸法間隔で平行に配設された複数の第一支持部材と、
前記切返し部材に対して前記第一支持部材とは反対側において、前記切返し部材に対して垂直に当接しａ寸法間隔で配設された複数の第二支持部材と、
前記切返し部材において前記切返し部材に対して平行に固定された切返し下地部材と、
前記第一支持部材に対して直交し４ａ／３寸法間隔で前記第一支持部材に固定された複数の第一下地部材と、
前記第二支持部材に対して直交し４ａ／３寸法間隔で前記第二支持部材に固定された複数の第二下地部材と、
縦横寸法が長辺４ａ×短辺２ａの長方形からなり前記第一下地部材に対して長辺が直交するように前記第一下地部材に固定された複数の第一下張り面材と、
縦横寸法が長辺４ａ×短辺２ａの長方形からなり前記第二下地部材に対して長辺が直交するように前記第二下地部材に固定された複数の第二下張り面材と、
長方形からなり前記第一下張り面材と前記第二下張り面材の間に配設され、前記切返し下地部材及び前記第二下地部材に固定された複数の下張り調整面材と、
前記第一下張り面材の下面において、縦横寸法が長辺４ａ×短辺２ａの長方形からなり前記第一下地部材に対して長辺が直交するように前記第一下地部材に固定された複数の第一上張り面材と、
前記第二下張り面材の下面において、縦横寸法が長辺４ａ×短辺２ａの長方形からなり前記第二下地部材に対して長辺が直交するように前記第二下地部材に固定された複数の第二上張り面材と、
長方形からなり前記第一上張り面材と前記第二上張り面材の間に配設され、前記切返し下地部材及び前記第二下地部材に固定された複数の上張り調整面材と、を有し、
隣り合う前記第一下張り面材同士の目地は、前記第一上張り面材で覆われており、
隣り合う前記第二下張り面材同士の目地は、前記第二上張り面材及び前記上張り調整面材で覆われており、
前記第一上張り面材は、隣り合う前記第一上張り面材の短辺同士の目地と、他の隣り合う前記第一上張り面材の短辺同士の目地とがずれるように千鳥状に配設されており、
前記第二上張り面材は、隣り合う前記第二上張り面材の短辺同士の目地と、他の隣り合う前記第二上張り面材の短辺同士の目地とがずれるように千鳥状に配設されており、
前記第一下張り面材と前記下張り調整面材との目地は、前記第一上張り面材と前記第二上張り面材との目地、並びに、前記第一上張り面材と前記上張り調整面材との目地と前記切返し部材の幅方向に所定の距離でずれていることを特徴とする面材の固定構造。
【請求項２】
前記切返し下地部材は、前記切返し部材の下面において幅方向に２本並設されており、
前記第一下張り面材と前記下張り調整面材との目地は、一方の前記切返し下地部材に沿って形成されており、
前記第一上張り面材と前記第二上張り面材との目地、並びに、前記第一上張り面材と前記上張り調整面材との目地は、他方の前記切返し下地部材に沿って形成されていることを特徴とする請求項１に記載の面材の固定構造。
【請求項３】
切返し部材と、
前記切返し部材からａ寸法間隔で平行に配設された複数の第一支持部材と、
前記切返し部材に対して前記第一支持部材とは反対側において、前記切返し部材に対して垂直に当接しａ寸法間隔で配設された複数の第二支持部材と、
前記切返し部材の隣の前記第一支持部材において前記切返し部材に対して平行に固定された第一切返し下地部材と、
前記切返し部材において前記切返し部材に対して平行に固定された第二切返し下地部材と、
前記第一支持部材に対して直交し４ａ／３寸法間隔で前記第一支持部材に固定された複数の第一下地部材と、
前記第二支持部材に対して直交し４ａ／３寸法間隔で前記第二支持部材に固定された複数の第二下地部材と、
縦横寸法が長辺４ａ×短辺２ａの長方形からなり前記第一下地部材に対して長辺が直交するように前記第一下地部材に固定された複数の第一下張り面材と、
縦横寸法が長辺４ａ×短辺２ａの長方形からなり前記第二下地部材に対して長辺が直交するように前記第二下地部材に固定された複数の第二下張り面材と、
長方形からなり前記第一下張り面材と前記第二下張り面材の間に配設され、前記第一切返し下地部材及び前記第二下地部材に固定された複数の下張り調整面材と、
前記第一下張り面材の下面において、縦横寸法が長辺４ａ×短辺２ａの長方形からなり前記第一下地部材に対して長辺が直交するように前記第一下地部材に固定された複数の第一上張り面材と、
前記第二下張り面材の下面において、縦横寸法が長辺４ａ×短辺２ａの長方形からなり前記第二下地部材に対して長辺が直交するように前記第二下地部材に固定された複数の第二上張り面材と、
長方形からなり前記第一上張り面材と前記第二上張り面材の間に配設され、前記第二切返し下地部材及び前記第二下地部材に固定された複数の上張り調整面材と、を有し、
隣り合う前記第一下張り面材同士の目地は、前記第一上張り面材で覆われており、
隣り合う前記第二下張り面材同士の目地は、前記第二上張り面材及び上張り調整面材で覆われており、
前記第一上張り面材は、隣り合う前記第一上張り面材の短辺同士の目地が、他の隣り合う前記第一上張り面材の短辺同士の目地とずれるように千鳥状に配設されており、
前記第二上張り面材は、隣り合う前記第二上張り面材の短辺同士の目地が、他の隣り合う前記第二上張り面材の短辺同士の目地とずれるように千鳥状に配設されており、
前記第一下張り面材と前記下張り調整面材との目地は、前記第一切返し下地部材に沿って形成されており、
前記第一上張り面材と前記第二上張り面材との目地、並びに、前記第一上張り面材と前記上張り調整面材との目地は、前記第二切返し下地部材に沿って形成されていることを特徴とする面材の固定構造。
【請求項４】
切返し部材を配設する工程と、前記切返し部材に対して平行にａ寸法間隔で複数の第一支持部材を配設する工程と、前記切返し部材に対して前記第一支持部材とは反対側において、前記切返し部材に対して垂直に当接させつつａ寸法間隔で複数の第二支持部材を配設する工程と、を行う支持部材配設工程と、
前記切返し部材において前記切返し部材と平行に切返し下地部材を固定する工程と、前記第一支持部材に対して直交し４ａ／３寸法間隔で前記第一支持部材に複数の第一下地部材を固定する工程と、前記第二支持部材に対して直交し４ａ／３寸法間隔で前記第二支持部材に複数の第二下地部材を固定する工程と、を行う下地部材固定工程と、
縦横寸法が長辺４ａ×短辺２ａの長方形からなる複数の第一下張り面材を、前記第一下地部材に対して長辺が直交するように前記第一下地部材に固定する第一下張り面材固定工程と、
長方形からなる複数の下張り調整面材を、前記切返し下地部材及び前記第二下地部材に固定する下張り調整面材固定工程と、
縦横寸法が長辺４ａ×短辺２ａの長方形からなる複数の第二下張り面材を、前記第二下地部材に対して長辺が直交するように前記第二下地部材に固定する第二下張り面材固定工程と、
隣り合う前記第一下張り面材同士の目地を覆いつつ、縦横寸法が長辺４ａ×短辺２ａの長方形からなる複数の第一上張り面材を前記第一下地部材に千鳥状に固定する第一上張り面材固定工程と、
長方形からなる複数の上張り調整面材を前記切返し下地部材及び前記第二下地部材に固定する上張り調整面材固定工程と、
隣り合う前記第二下張り面材同士の目地を覆いつつ、縦横寸法が長辺４ａ×短辺２ａの長方形からなる複数の第二上張り面材を前記第二下地部材に千鳥状に固定する第二上張り面材固定工程と、を含み、
前記第一下張り面材と前記下張り調整面材との目地と、前記第一上張り面材と前記上張り調整面材との目地とを前記切返し部材の幅方向に所定の距離でずらしつつ、
前記第一下張り面材と前記下張り調整面材との目地と、前記第一上張り面材と前記第二上張り面材との目地とを前記切返し部材の幅方向に所定の距離でずらすことを特徴とする天井の施工方法。
【請求項５】
下地部材固定工程では、前記切返し部材の下面に沿って幅方向に２本の前記切返し部材を並設し、
前記第一下張り面材と前記下張り調整面材との目地が、一方の前記切返し下地部材に沿って形成されるように固定するとともに、
前記第一上張り面材と前記第二上張り面材との目地、並びに、前記第一上張り面材と前記上張り調整面材との目地が、他方の前記切返し下地部材に沿って形成されるように固定することを特徴とする請求項４に記載の天井の施工方法。
【請求項６】
切返し部材を配設する工程と、前記切返し部材に対して平行にａ寸法間隔で複数の第一支持部材を配設する工程と、前記切返し部材に対して前記第一支持部材とは反対側において、前記切返し部材に対して垂直に当接させつつａ寸法間隔で複数の第二支持部材を配設する工程と、を行う支持部材配設工程と、
前記切返し部材の隣の前記第一支持部材において前記切返し部材に対して平行に第一切返し下地部材を固定するとともに、前記切返し部材において前記切返し部材と平行に第二切返し下地部材を固定する工程と、前記第一支持部材に対して直交し４ａ／３寸法間隔で前記第一支持部材に複数の第一下地部材を固定する工程と、前記第二支持部材に対して直交し４ａ／３寸法間隔で前記第二支持部材に複数の第二下地部材を固定する工程と、を行う下地部材固定工程と、
縦横寸法が長辺４ａ×短辺２ａの長方形からなる複数の第一下張り面材を、前記第一下地部材に対して長辺が直交するように前記第一下地部材に固定する第一下張り面材固定工程と、
長方形からなる複数の下張り調整面材を、前記第一切返し下地部材及び前記第二下地部材に固定する下張り調整面材固定工程と、
縦横寸法が長辺４ａ×短辺２ａの長方形からなる複数の第二下張り面材を、前記第二下地部材に対して長辺が直交するように前記第二下地部材に固定する第二下張り面材固定工程と、
隣り合う前記第一下張り面材同士の目地を覆いつつ、縦横寸法が長辺４ａ×短辺２ａの長方形からなる複数の第一上張り面材を前記第一下地部材に千鳥状に固定する第一上張り面材固定工程と、
長方形からなる複数の上張り調整面材を前記第二切返し下地部材及び前記第二下地部材に固定する上張り調整面材固定工程と、
隣り合う前記第二下張り面材同士の目地を覆いつつ、縦横寸法が長辺４ａ×短辺２ａの長方形からなる複数の第二上張り面材を前記第二下地部材に千鳥状に固定する第二上張り面材固定工程と、を含み、
前記第一下張り面材と前記下張り調整面材との目地が、前記第一切返し下地部材に形成されるように固定し、
前記第一上張り面材と前記第二上張り面材との目地、並びに、前記第一上張り面材と前記上張り調整面材との目地が前記第二切返し下地部材に形成されるように固定することを特徴とする天井の施工方法。
【発明の詳細な説明】
【技術分野】
【０００１】
本発明は、建物の天井、壁等に用いられる面材の固定構造及び天井の施工方法に関する。
【背景技術】
【０００２】
建物の天井、壁等は、複数の面材を下地部材等に隙間無く留め付けて構成されている。例えば、建物における天井構造は、下地部材とこの下地部材に留め付けられた複数の天井面材とで構成されている。特許文献１には、石膏ボード等の天井面材を、目地をずらしながら上下に二重に留め付けることが記載されている。この構成によれば、下張り面材同士の目地と上張り面材同士の目地とが直線状に連通しないので、熱や炎が天井裏に侵入し難い。
【０００３】
図１５は、従来の天井枠組を示す図であって、一階側から天井を見た図である。図１６は、図１５に天井面材が留め付けられた状態を示した図である。図１５に示すように、従来の枠組壁工法における天井構造では、例えば室内が平面視Ｌ字状である場合や、外壁からバルコニーが張り出す場合等、床根太の配設方向が変化する場合がある。例えば、図１５に示すように、従来の天井枠組１００は、二階床根太の配設方向が変化する境となる切返し梁１０１と、切返し梁１０１に対して平行に配設された複数の第一床根太１０２と、切返し梁１０１に対して垂直に配設された複数の第二床根太１０３と、を備えている。さらに、天井枠組１００は、第一床根太１０２に対して直交して配設された複数の第一下地部材１０４と、第二床根太１０３に対して直交して配設された複数の第二下地部材１０５と、切返し梁１０１に沿って配設された切返し下地部材１０６と、を備えている。
【０００４】
隣り合う第一床根太１０２同士、隣り合う第二床根太１０３同士、隣り合う第一下地部材１０４同士、隣り合う第二下地部材１０５同士は、例えば４５５ｍｍ間隔となるように配設され、平面視格子状を呈するように構成されている。
【０００５】
石膏ボード等の天井面材は、建物の寸法に合わせて１８２０ｍｍ×９１０ｍｍで形成されている。つまり、通常の天井面材の寸法は４５５ｍｍ（基本モジュール）の整数倍になっているため、天井面材を留め付ける下地部材の位置を４５５ｍｍずつ移動させたり、天井面材の配置方向を変えたりして、下張り目地と上張り目地とをずらしながら天井面材を留め付けることができる。例えば、図１６には、５枚の下張り面材１２１と、２枚の上張り面材１２２が留め付けられた状態を示している。隣り合う下張り面材１２１同士は長手方向の半分の長さ（９１０ｍｍ）でずらしながら留め付けられている。一方、隣り合う上張り面材１２２は、下張り面材１２１の４分の一の長さ（４５５ｍｍ）でずらしながら留め付けられている。かかる構成によれば、下張り面材１２１同士の目地Ｇ１は、上張り面材１２２で覆われることになる。
【先行技術文献】
【特許文献】
【０００６】
【特許文献１】特開平１１−３０００７号公報
【発明の概要】
【発明が解決しようとする課題】
【０００７】
ここで、例えば、隣り合う第一下地部材１０４同士及び第二下地部材１０５同士の間隔を広くすることができれば、各下地部材の本数を少なくすることができるため、材料コストや作業手間を削減することができる。
【０００８】
図１７は、第一床根太及び第二床根太の間隔は４５５ｍｍのままで、第一下地部材同士及び第二下地部材同士の間隔を６０６ｍｍにした場合を示す図である。図１７に示すように、天井構造１００’では、第一下地部材１０４と第二下地部材１０５の間隔を６０６ｍｍに設定している。天井構造１００’では、従来のように、切返し梁１０１を挟んで下張り面材１２１を留め付けると、下張り面材１２１の角部Ｎが第一下地部材１０４の位置に対応しなくなる。下張り面材１２１の角部Ｎが第一下地部材１０４に留め付けられないと、角部Ｎが浮いた状態になるため、隣り合う面材同士に不陸ができてしまう。
【０００９】
そこで、例えば、切返し梁１０１を境にして、第一下地部材１０４側は下張り面材１２１及び上張り面材１２２を横使いにして固定し、第二下地部材１０５側は下張り面材１２１及び上張り面材１２２を横使いについて固定することにより、各面材の角部と第一下地部材１０４又は第二下地部材１０５とを対応させることができる。しかし、このようにして面材を固定すると、切返し梁１０１において、下張り面材１２１同士の目地と上張り面材１２２同士の目地が上下方向に連通してしまうという問題があった。つまり、下地部材の間隔が基本モジュールの整数倍とはならない場合、下張り面材及び上張り面材を下地部材に対応した位置に配設しつつ、下張り面材同士の目地と上張り面材同士の目地とをずらすことが困難になるという問題があった。
【００１０】
本発明は、前記した問題に鑑みて創案されたものであり、耐火性に優れるとともに、コストを削減することができる面材の固定構造及び天井の施工方法を提供することを課題とする。
【課題を解決するための手段】
【００１１】
前記課題を解決するため、本発明は、切返し部材と、前記切返し部材からａ寸法間隔で平行に配設された複数の第一支持部材と、前記切返し部材に対して前記第一支持部材とは反対側において、前記切返し部材に対して垂直に当接しａ寸法間隔で配設された複数の第二支持部材と、前記切返し部材において前記切返し部材に対して平行に固定された切返し下地部材と、前記第一支持部材に対して直交し４ａ／３寸法間隔で前記第一支持部材に固定された複数の第一下地部材と、前記第二支持部材に対して直交し４ａ／３寸法間隔で前記第二支持部材に固定された複数の第二下地部材と、縦横寸法が長辺４ａ×短辺２ａの長方形からなり前記第一下地部材に対して長辺が直交するように前記第一下地部材に固定された複数の第一下張り面材と、縦横寸法が長辺４ａ×短辺２ａの長方形からなり前記第二下地部材に対して長辺が直交するように前記第二下地部材に固定された複数の第二下張り面材と、長方形からなり前記第一下張り面材と前記第二下張り面材の間に配設され、前記切返し下地部材及び前記第二下地部材に固定された複数の下張り調整面材と、前記第一下張り面材の下面において、縦横寸法が長辺４ａ×短辺２ａの長方形からなり前記第一下地部材に対して長辺が直交するように前記第一下地部材に固定された複数の第一上張り面材と、前記第二下張り面材の下面において、縦横寸法が長辺４ａ×短辺２ａの長方形からなり前記第二下地部材に対して長辺が直交するように前記第二下地部材に固定された複数の第二上張り面材と、長方形からなり前記第一上張り面材と前記第二上張り面材の間に配設され、前記切返し下地部材及び前記第二下地部材に固定された複数の上張り調整面材と、を有し、隣り合う前記第一下張り面材同士の目地は、前記第一上張り面材で覆われており、隣り合う前記第二下張り面材同士の目地は、前記第二上張り面材及び前記上張り調整面材で覆われており、前記第一上張り面材は、隣り合う前記第一上張り面材の短辺同士の目地と、他の隣り合う前記第一上張り面材の短辺同士の目地とがずれるように千鳥状に配設されており、前記第二上張り面材は、隣り合う前記第二上張り面材の短辺同士の目地と、他の隣り合う前記第二上張り面材の短辺同士の目地とがずれるように千鳥状に配設されており、前記第一下張り面材と前記下張り調整面材との目地は、前記第一上張り面材と前記第二上張り面材との目地、並びに、前記第一上張り面材と前記上張り調整面材との目地と前記切返し部材の幅方向に所定の距離でずれていることを特徴とする。
【００１２】
かかる構成によれば、切返し部材の周囲における下張り面材同士の目地と上張り面材同士の目地とをずらすことができる。これにより、下張り面材同士の目地と上張り面材同士の目地とが連通しなくなるため、熱や火炎が面材の裏側に進入し難くなる。また、切返し部材の周囲において、下張り調整面材及び上張り調整面材を設けることにより、所定の規格の下張り面材及び上張り面材を下地部材に対応した位置に固定することができる。また、下地部材の間隔を、大きくすることにより、部材点数を削減できるとともに、作業手間を少なくすることができる。
【００１３】
また、前記切返し下地部材は、前記切返し部材の下面において幅方向に２本並設されており、前記第一下張り面材と前記下張り調整面材との目地は、一方の前記切返し下地部材に沿って形成されており、前記第一上張り面材と前記第二上張り面材との目地、並びに、前記第一上張り面材と前記上張り調整面材との目地は、他方の前記切返し下地部材に沿って形成されていることが好ましい。
【００１４】
切返し下地部材は１本でもよいが、かかる構成のように、２本の切返し下地部材を並設することで、目地を容易にずらすことができる。
【００１５】
また、本発明は、切返し部材と、前記切返し部材からａ寸法間隔で平行に配設された複数の第一支持部材と、前記切返し部材に対して前記第一支持部材とは反対側において、前記切返し部材に対して垂直に当接しａ寸法間隔で配設された複数の第二支持部材と、前記切返し部材の隣の前記第一支持部材において前記切返し部材に対して平行に固定された第一切返し下地部材と、前記切返し部材において前記切返し部材に対して平行に固定された第二切返し下地部材と、前記第一支持部材に対して直交し４ａ／３寸法間隔で前記第一支持部材に固定された複数の第一下地部材と、前記第二支持部材に対して直交し４ａ／３寸法間隔で前記第二支持部材に固定された複数の第二下地部材と、縦横寸法が長辺４ａ×短辺２ａの長方形からなり前記第一下地部材に対して長辺が直交するように前記第一下地部材に固定された複数の第一下張り面材と、縦横寸法が長辺４ａ×短辺２ａの長方形からなり前記第二下地部材に対して長辺が直交するように前記第二下地部材に固定された複数の第二下張り面材と、長方形からなり前記第一下張り面材と前記第二下張り面材の間に配設され、前記第一切返し下地部材及び前記第二下地部材に固定された複数の下張り調整面材と、前記第一下張り面材の下面において、縦横寸法が長辺４ａ×短辺２ａの長方形からなり前記第一下地部材に対して長辺が直交するように前記第一下地部材に固定された複数の第一上張り面材と、前記第二下張り面材の下面において、縦横寸法が長辺４ａ×短辺２ａの長方形からなり前記第二下地部材に対して長辺が直交するように前記第二下地部材に固定された複数の第二上張り面材と、長方形からなり前記第一上張り面材と前記第二上張り面材の間に配設され、前記第二切返し下地部材及び前記第二下地部材に固定された複数の上張り調整面材と、を有し、隣り合う前記第一下張り面材同士の目地は、前記第一上張り面材で覆われており、隣り合う前記第二下張り面材同士の目地は、前記第二上張り面材及び上張り調整面材で覆われており、前記第一上張り面材は、隣り合う前記第一上張り面材の短辺同士の目地が、他の隣り合う前記第一上張り面材の短辺同士の目地とずれるように千鳥状に配設されており、前記第二上張り面材は、隣り合う前記第二上張り面材の短辺同士の目地が、他の隣り合う前記第二上張り面材の短辺同士の目地とずれるように千鳥状に配設されており、前記第一下張り面材と前記下張り調整面材との目地は、前記第一切返し下地部材に沿って形成されており、前記第一上張り面材と前記第二上張り面材との目地、並びに、前記第一上張り面材と前記上張り調整面材との目地は、前記第二切返し下地部材に沿って形成されていることを特徴とする。
【００１６】
かかる構成によれば、切返し部材の周囲における下張り面材同士の目地と上張り面材同士の目地とをずらすことができる。これにより、下張り面材同士の目地と上張り面材同士の目地とが連通しなくなるため、熱や火炎が面材の裏側に進入し難くなる。また、切返し部材の周囲において、下張り調整面材及び上張り調整面材を設けることにより、所定の規格の下張り面材及び上張り面材を下地部材に対応した位置に固定することができる。また、下地部材の間隔を、大きくすることにより、部材点数を削減できるとともに、作業手間を少なくすることができる。また、２本の切返し下地部材を並設することで、目地を容易にずらすことができる。
【００１７】
また、本発明は、切返し部材を配設する工程と、前記切返し部材に対して平行にａ寸法間隔で複数の第一支持部材を配設する工程と、前記切返し部材に対して前記第一支持部材とは反対側において、前記切返し部材に対して垂直に当接させつつａ寸法間隔で複数の第二支持部材を配設する工程と、を行う支持部材配設工程と、前記切返し部材において前記切返し部材と平行に切返し下地部材を固定する工程と、前記第一支持部材に対して直交し４ａ／３寸法間隔で前記第一支持部材に複数の第一下地部材を固定する工程と、前記第二支持部材に対して直交し４ａ／３寸法間隔で前記第二支持部材に複数の第二下地部材を固定する工程と、を行う下地部材固定工程と、縦横寸法が長辺４ａ×短辺２ａの長方形からなる複数の第一下張り面材を、前記第一下地部材に対して長辺が直交するように前記第一下地部材に固定する第一下張り面材固定工程と、長方形からなる複数の下張り調整面材を、前記切返し下地部材及び前記第二下地部材に固定する下張り調整面材固定工程と、縦横寸法が長辺４ａ×短辺２ａの長方形からなる複数の第二下張り面材を、前記第二下地部材に対して長辺が直交するように前記第二下地部材に固定する第二下張り面材固定工程と、隣り合う前記第一下張り面材同士の目地を覆いつつ、縦横寸法が長辺４ａ×短辺２ａの長方形からなる複数の第一上張り面材を前記第一下地部材に千鳥状に固定する第一上張り面材固定工程と、長方形からなる複数の上張り調整面材を前記切返し下地部材及び前記第二下地部材に固定する上張り調整面材固定工程と、隣り合う前記第二下張り面材同士の目地を覆いつつ、縦横寸法が長辺４ａ×短辺２ａの長方形からなる複数の第二上張り面材を前記第二下地部材に千鳥状に固定する第二上張り面材固定工程と、を含み、前記第一下張り面材と前記下張り調整面材との目地と、前記第一上張り面材と前記上張り調整面材との目地とを前記切返し部材の幅方向に所定の距離でずらしつつ、前記第一下張り面材と前記下張り調整面材との目地と、前記第一上張り面材と前記第二上張り面材との目地とを前記切返し部材の幅方向に所定の距離でずらすことを特徴とする。
【００１８】
かかる方法によれば、切返し部材の周囲における下張り面材同士の目地と上張り面材同士の目地とをずらすことができる。これにより、下張り面材同士の目地と上張り面材同士の目地とが連通しなくなるため、熱や火炎が面材の裏側に進入し難くなる。また、切返し部材の周囲において、下張り調整面材及び上張り調整面材を設けることにより、所定の規格の下張り面材及び上張り面材を下地部材に対応した位置に固定することができる。また、下地部材の間隔を、大きくすることにより、部材点数を削減できるとともに、作業手間を少なくすることができる。
【００１９】
また、下地部材固定工程では、前記切返し部材の下面に沿って幅方向に２本の前記切返し部材を並設し、前記第一下張り面材と前記下張り調整面材との目地が、一方の前記切返し下地部材に沿って形成されるように固定するとともに、前記第一上張り面材と前記第二上張り面材との目地、並びに、前記第一上張り面材と前記上張り調整面材との目地が、他方の前記切返し下地部材に沿って形成されるように固定することが好ましい。
【００２０】
切返し下地部材は１本でもよいが、かかる方法によれば、２本の切返し下地部材を並設することで、目地を容易にずらすことができる。
【００２１】
また、本発明は、切返し部材を配設する工程と、前記切返し部材に対して平行にａ寸法間隔で複数の第一支持部材を配設する工程と、前記切返し部材に対して前記第一支持部材とは反対側において、前記切返し部材に対して垂直に当接させつつａ寸法間隔で複数の第二支持部材を配設する工程と、を行う支持部材配設工程と、前記切返し部材の隣の前記第一支持部材において前記切返し部材に対して平行に第一切返し下地部材を固定するとともに、前記切返し部材において前記切返し部材と平行に第二切返し下地部材を固定する工程と、前記第一支持部材に対して直交し４ａ／３寸法間隔で前記第一支持部材に複数の第一下地部材を固定する工程と、前記第二支持部材に対して直交し４ａ／３寸法間隔で前記第二支持部材に複数の第二下地部材を固定する工程と、を行う下地部材固定工程と、縦横寸法が長辺４ａ×短辺２ａの長方形からなる複数の第一下張り面材を、前記第一下地部材に対して長辺が直交するように前記第一下地部材に固定する第一下張り面材固定工程と、長方形からなる複数の下張り調整面材を、前記第一切返し下地部材及び前記第二下地部材に固定する下張り調整面材固定工程と、縦横寸法が長辺４ａ×短辺２ａの長方形からなる複数の第二下張り面材を、前記第二下地部材に対して長辺が直交するように前記第二下地部材に固定する第二下張り面材固定工程と、隣り合う前記第一下張り面材同士の目地を覆いつつ、縦横寸法が長辺４ａ×短辺２ａの長方形からなる複数の第一上張り面材を前記第一下地部材に千鳥状に固定する第一上張り面材固定工程と、長方形からなる複数の上張り調整面材を前記第二切返し下地部材及び前記第二下地部材に固定する上張り調整面材固定工程と、隣り合う前記第二下張り面材同士の目地を覆いつつ、縦横寸法が長辺４ａ×短辺２ａの長方形からなる複数の第二上張り面材を前記第二下地部材に千鳥状に固定する第二上張り面材固定工程と、を含み、前記第一下張り面材と前記下張り調整面材との目地が、前記第一切返し下地部材に形成されるように固定し、前記第一上張り面材と前記第二上張り面材との目地、並びに、前記第一上張り面材と前記上張り調整面材との目地が前記第二切返し下地部材に形成されるように固定することを特徴とする。
【００２２】
かかる方法によれば、切返し部材の周囲における下張り面材同士の目地と上張り面材同士の目地とをずらすことができる。これにより、下張り面材同士の目地と上張り面材同士の目地とが連通しなくなるため、熱や火炎が面材の裏側に進入し難くなる。また、切返し部材の周囲において、下張り調整面材及び上張り調整面材を設けることにより、所定の規格の下張り面材及び上張り面材を下地部材に対応した位置に固定することができる。また、下地部材の間隔を、大きくすることにより、部材点数を削減できるとともに、作業手間を少なくすることができる。また、２本の切返し下地部材を並設することで、目地を容易にずらすことができる。
【発明の効果】
【００２３】
本発明に係る面材の固定構造及び天井の施工方法によれば、耐火性に優れるとともに、コストを削減することができる。
【図面の簡単な説明】
【００２４】
【図１】第一実施形態に係る天井の施工方法の床根太配設工程を示す模式平面図であって、一階側から天井を見た図である。
【図２】第一実施形態に係る天井の施工方法の下地部材固定工程を示す模式平面図であって、一階側から天井を見た図である。
【図３】図２のＩ−Ｉ断面図である。
【図４】切返し梁を示した斜視図である。
【図５】第一実施形態に係る天井の施工方法の下地部材固定工程を示す模式平面図であって、一階側から天井を見た図である。
【図６】図５のＩＩ−ＩＩ断面図である。
【図７】第一実施形態に係る天井の施工方法の下張り面材固定工程を示す模式平面図であって、一階側から天井を見た図である。
【図８】図７のIII−III断面図である。
【図９】第一実施形態に係る天井の施工方法の上張り面材固定工程を示す模式平面図であって、一階側から天井を見た図である。
【図１０】図９のIV−IV断面図である。
【図１１】第二実施形態に係る天井の施工方法の床根太配設工程を示す模式平面図であって、一階側から天井を見た図である。
【図１２】図１１のV-V断面図である。
【図１３】第二実施形態に係る天井の施工方法の下張り面材固定工程を示す図であって、一階側から天井を見た図である。
【図１４】第二実施形態に係る天井の施工方法の上張り面材固定工程を示す図であって、一階側から天井を見た図である。
【図１５】従来の天井枠組を示す図であって、一階側から天井を見た図である。
【図１６】図１５に天井面材が留め付けられた状態を示した図である。
【図１７】第一床根太及び第二床根太の間隔は４５５ｍｍのままで、第一下地部材同士及び第二下地部材同士の間隔を６０６ｍｍにした場合を示す図である。
【発明を実施するための形態】
【００２５】
［第一実施形態］
以下、本発明の第一実施形態について、図面を参照して詳細に説明する。本実施形態では、枠組壁工法で木造住宅を構築する場合における天井の施工方法及び天井面材の固定構造を例示する。より詳しくは、例えば平面視Ｌ字状を呈する二階建て住宅の一階の天井を構築する場合を例示する。まずは、本実施形態の天井の施工方法について説明する。
【００２６】
本実施形態に係る天井の施工方法では、床根太を掛け渡す床根太配設工程と、床根太に下地部材を固定する下地部材固定工程と、下地部材に下張り面材を留め付ける下張り面材固定工程と、下地部材に上張り面材を留め付ける上張り面材固定工程と、を行う。なお、各部材の接合部分には、適宜釘やビスを用いて接合するが、主要な部分を除いて釘やビスの具体的な説明や図示は省略する。
【００２７】
図１は、第一実施形態に係る天井の施工方法の床根太配設工程を示す模式平面図であって、一階側から天井を見た図である。図１に示すように、床根太配設工程では、図示しない一対の壁組みに第一床根太１、第二床根太２、切返し梁３、下地受け部材４を架け渡す。第一床根太１は特許請求の範囲の第一支持部材に相当し、第二床根太２は第二支持部材に相当し、切返し梁３は切返し部材に相当する。
【００２８】
本実施形態では、建物が平面視Ｌ字状を呈するため、切返し梁３を境に第一床根太１と第二床根太２の配設方向が９０度となるように固定する。つまり、床根太配設工程では、第一床根太１を切返し梁３に対して平行に配設するとともに、第二床根太２を切返し梁３にその端面を当接させつつ切返し梁３に対して９０度となるように配設する。第一床根太１，１間の寸法、第一床根太１と切返し梁３との寸法及び第二床根太２，２間の寸法は例えば４５５ｍｍに設定する。切返し梁３は、第一床根太１及び第二床根太２よりも幅広になっている。下地受け部材４は、切返し梁３の隣に添設する。なお、切返し梁３がより幅広である場合には、下地受け部材４は省略してもよい。
【００２９】
図２は、第一実施形態に係る天井の施工方法の下地部材固定工程を示す模式平面図であって、一階側から天井を見た図である。図３は、図２のＩ−Ｉ断面図である。図４は、切返し梁を示した斜視図である。
【００３０】
図２及び図３に示すように、下地部材固定工程では、まず、切返し梁３の下面に第一切返し下地部材１１と第二切返し下地部材１２とを固定する。第一切返し下地部材１１及び第二切返し下地部材１２は、断面視クランク形状からなる金属製の部材であって天井面材を固定するための下地部材である。第一切返し下地部材１１及び第二切返し下地部材１２は、同形状になっている。第一切返し下地部材１１と第二切返し下地部材１２は、鉛直方向の線に対して線対称となるように対向して配設する。
【００３１】
図４に示すように、第一切返し下地部材１１及び第二切返し下地部材１２は、切返し梁３に固定される第一固定板部１３と、第一固定板部１３と離間して平行となる第二固定板部１４と、第一固定板部１３と第二固定板部１４とを連結する連結板部１５とを備えている。第一固定板部１３は切返し梁３に固定される部位である。第二固定板部１４は、天井面材が固定される部位である。第一切返し下地部材１１及び第二切返し下地部材１２は、天井面材を片持ちで支持し、連結板部１５が振動することにより、二階の振動が一階に伝達するのを防ぐことができる。
【００３２】
図５は、第一実施形態に係る天井の施工方法の下地部材固定工程を示す模式平面図であって、一階側から天井を見た図である。図６は、図５のＩＩ−ＩＩ断面図である。続いて、下地部材固定工程では、第一下地部材２１及び第二下地部材２２を固定する。
【００３３】
図５及び図６に示すように、下地部材固定工程では、第一床根太１に直交するように複数の第一下地部材２１を第一床根太１に固定する。第一下地部材２１は、前記した第一切返し下地部材１１と同形状からなる部材である。第一下地部材２１の一端は下地受け部材４にも固定する。第一下地部材２１，２１間の寸法は例えば６０６ｍｍに設定する。
【００３４】
続いて、下地部材固定工程では、第二床根太２に直交するように複数の第二下地部材２２を第二床根太２に固定する。第二下地部材２２は、前記した第一切返し下地部材１１と同形状からなる部材である。第二下地部材２２，２２間の寸法は例えば６０６ｍｍに設定する。また、第二下地部材２２と第二切返し下地部材１２との間の寸法は例えば６０６ｍｍに設定する。
【００３５】
なお、下地部材固定工程において、下地部材を固定する順番については限定されるものではない。
【００３６】
図７は、第一実施形態に係る天井の施工方法の下張り面材固定工程を示す模式平面図であって、一階側から天井を見た図である。図８は、図７のIII−III断面図である。図７及び図８に示すように、下張り面材固定工程では、まず、複数の第一下張り面材３１を第一下地部材２１に隙間無く留め付ける。第一下張り面材３１は、１８２０ｍｍ×９１０ｍｍ（以下、「標準サイズ」とも言う）のものを縦使いで用いる。板厚は適宜設定すればよいが、本実施形態では例えば１２ｍｍに設定する。
【００３７】
下張り面材固定工程は、具体的には、第一下張り面材３１の長手方向と第一下地部材２１の長手方向とを直交させつつ、４本の第一下地部材２１が対応するように位置させ、それぞれビスＫで留め付ける。図８に示すように、切返し梁３に隣接する第一下張り面材３１については、第一下張り面材３１の端部と第一切返し下地部材１１の第二固定板部１４とをビスＫで留め付ける。隣り合う第一下張り面材３１，３１同士はずらさずに、第一下張り面材３１，３１同士の目地Ｇ１が格子状を呈するように留め付ける。
【００３８】
続いて、下張り面材固定工程では、下張り調整面材３２を第一切返し下地部材１１と第二下地部材２２とに架け渡してそれぞれビスＫで留め付ける。下張り調整面材３２は、縦寸法は９１０ｍｍであり、横寸法は１８２０ｍｍよりも短く、かつ、第一切返し下地部材１１と第二下地部材２２とに留め付け可能な長さに適宜設定する。
【００３９】
下張り面材固定工程では、切返し梁３の直下において、複数の下張り調整面材３２を、切返し梁３と平行に留め付ける。また、下張り調整面材３２と第一下張り面材３１との目地Ｇ２が、第一切返し下地部材１１の第二固定板部１４の幅方向の中央部に沿って形成されるように配設する。さらに、下張り調整面材３２，３２同士の目地Ｇ３は、第一下張り面材３１，３１同士の横方向の目地Ｇ１とずれるように配設する。
【００４０】
続いて、下張り面材固定工程では、第二下張り面材３３を第二下地部材２２に固定する。第二下張り面材３３は、標準サイズを横使いで用いる。板厚は第一下張り面材３１と同等である。
【００４１】
下張り面材固定工程では、具体的には、第二下張り面材３３の長手方向と第二下地部材２２の長手方向を直交させつつ、４本の第二下地部材２２が対応するように位置させ、それぞれビスＫで留め付ける。第二下張り面材３３は、隣の下張り調整面材３２と位置を合わせつつ、隙間がないように留め付ける。図８に示すように、下張り調整面材３２と第二下張り面材３３との目地Ｇ４が、第二下地部材２２の第二固定板部１４の幅方向の中央部に沿って形成されるように配設する。また、具体的な図面は省略するが、下張り面材固定工程では、第二下張り面材３３，３３同士の縦方向の目地Ｇ５が、第二下地部材２２の第二固定板部１４の幅方向中央に沿って形成されるように配設する。これにより、目地Ｇ３，Ｇ４，Ｇ５は平面視格子状を呈するようになる。
【００４２】
なお、第一下張り面材３１、下張り調整面材３２及び第二下張り面材３３と各壁組み（図示省略）との隙間部分には、適宜その隙間の大きさに合わせて下張り面材を留め付ける。第一下張り面材３１、下張り調整面材３２及び第二下張り面材３３を留め付ける順番については、前記した方法に限定されるものではない。
【００４３】
図９は、第一実施形態に係る天井の施工方法の上張り面材固定工程を示す模式平面図であって、一階側から天井を見た図である。図１０は、図９のIV−IV断面図である。図９及び図１０に示すように、上張り面材固定工程では、まず、第一下張り面材３１の下から、複数の第一上張り面材４１を第一下地部材２１にビスＫで留め付ける。第一上張り面材４１は、標準サイズを縦使いで用いる。板厚は適宜設定すればよいが、本実施形態では例えば１２ｍｍに設定する。
【００４４】
切返し梁３の直下に配設される第一上張り面材４１ａ，４１ｂは、第二切返し下地部材１２の第二固定板部１４と、４本の第一下地部材２１が対応するように位置させつつ、それぞれビスＫで留め付ける。他の第一上張り面材４１は、４本の第一下地部材２１が対応するように位置させつつ、横方向に隣り合う第一上張り面材４１，４１同士を第一下地部材２１の一本分、つまり、６０６ｍｍずらしながらビスで留め付ける。これにより、複数の第一上張り面材４１は、目地Ｇ１を覆いつつ千鳥状に配設される。
【００４５】
続いて、上張り面材固定工程では、下張り調整面材３２及び第二下張り面材３３の下から、上張り調整面材４２と第二上張り面材４３を留め付ける。上張り調整面材４２は、縦寸法９１０ｍｍ×横寸法１２１２ｍｍのものを用いる。第二上張り面材４３は、標準サイズを横使いで用いる。上張り調整面材４２と第二上張り面材４３の板厚は第一上張り面材４１と同等である。
【００４６】
上張り面材固定工程では、切返し梁３に隣接して配設される上張り調整面材４２ａ，４２ｂを、縦方向に９１０ｍｍあけて、第二切返し下地部材１２の第二固定板部１４と、２本の第二下地部材２２が対応するように位置させ、それぞれビスＫで留め付ける。さらに、切返し梁３に隣接して配設される第二上張り面材４３ａ，４３ｂ，４３ｃを、上張り調整面材４２と交互に、かつ、第二切返し下地部材１２の第二固定板部１４と、３本の第二下地部材２２が対応するように位置させ、それぞれビスＫで留め付ける。
【００４７】
上張り調整面材固定工程では、第一上張り面材４１ａ，４１ｂと、上張り調整面材４２ａ，４２ｂ及び第二上張り面材４３ａ，４３ｂとの目地Ｈ３が、第二切返し下地部材１２の第二固定板部１４の幅方向の中央部に沿って形成されるように配設する。
【００４８】
また、第二上張り面材４３ｄ，４３ｅは、上張り調整面材４２ａ，４２ｂの隣に隙間無く位置させ、第二下地部材２２にそれぞれビスＫで留め付ける。上張り面材固定工程では、上張り調整面材４２ａ，４２ｂと第二上張り面材４３ｄ，４３ｅとの目地Ｈ４が、第二下地部材２２の第二固定板部１４の幅方向の中央部に沿って形成されるように配設する。
【００４９】
他の第二上張り面材４３は、第二上張り面材４３ａ，４３ｂ，４３ｃ，４３ｄ，４３ｅの隣に隙間なく留め付ける。これにより、上張り調整面材４２及び第二上張り面材４３は、目地Ｇ３，Ｇ４，Ｇ５を覆いつつ千鳥状に配設される。また、上張り調整面材４２ａ，４２ｂと第二上張り面材４３ｄ，４３ｅとの目地Ｈ４と、第二上張り面材４３同士の目地Ｈ５は、一直線にならず、ずれるようになる。
【００５０】
なお、第一上張り面材４１、上張り調整面材４２及び第二上張り面材４３と各壁組みとの隙間部分には、適宜その隙間の大きさに合わせて上張り面材を留め付ける。第一上張り面材４１、上張り調整面材４２及び第二上張り面材４３を留め付ける順番については、前記した方法に限定されるものではない。以上の工程によって、本実施形態に係る天井構造Ｔが構築される。
【００５１】
天井構造Ｔによれば、第一下地部材２１，２１同士の間隔及び第二下地部材２２，２２同士の間隔を４５５ｍｍよりも広い６０６ｍｍモジュールとすることができるため、部品点数を少なくすることができるとともに、作業手間も少なくすることができる。
【００５２】
また、切返し梁３を境に、第一床根太１の配設方向と第二床根太２の配設方向が変化する場合において、第一下地部材２１，２１同士の間隔及び第二下地部材２２，２２同士の間隔を６０６ｍｍモジュールとしても下張り面材の目地と上張り面材の目地とをずらすことができる。
【００５３】
具体的には、図９に示すように、第一下張り面材３１と下張り調整面材３２との目地Ｇ２と、第一上張り面材４１と上張り調整面材４２及び第二上張り面材４３との目地Ｈ３が、切返し梁３の幅方向でずれている。このため、第一下張り面材３１、下張り調整面材３２及び第二下張り面材３３によって形成された目地Ｇ１，Ｇ２，Ｇ３，Ｇ４，Ｇ５は、第一上張り面材４１、上張り調整面材４２及び第二上張り面材４３によって形成された目地Ｈ１，Ｈ２，Ｈ３，Ｈ４，Ｈ５と上下方向に直線状に連通しない状態で、第一上張り面材４１、上張り調整面材４２及び第二上張り面材４３によって覆われる。
【００５４】
言い換えると、切返し梁３に第一切返し下地部材１１と第二切返し下地部材１２を設け、第一下張り面材３１と下張り調整面材３２との直線状の目地Ｇ２と、第一上張り面材４１と上張り調整面材４２及び第二上張り面材４３との直線状の目地Ｈ３とを幅方向でずらしている。これにより、下張り面材同士の目地と上張り面材同士の目地とが連通しなくなるため、熱や火炎が面材の裏側に進入し難くなる。これにより、耐火性能を向上させることができる。
【００５５】
また、下張り調整面材３２を用いることで、標準サイズ（１８２０×９１０）の第一下張り面材３１及び第二下張り面材３３の四つの角部が全て第一下地部材２１又は第二下地部材２２に対応するように隙間無く配設することができる。
【００５６】
また、上張り調整面材４２を用いることで、標準サイズの第一上張り面材４１及び第二上張り面材４３の四つの角部が全て第一下地部材２１又は第二下地部材２２に対応するとともに、千鳥状に隙間無く配設することができる。
【００５７】
なお、本実施形態では、基準モジュールを４５５ｍｍ（ａ寸法）とし、標準サイズを１８２０（４ａ）×９１０（２ａ）、下地部材間の寸法を６０６ｍｍ（４ａ／３）としたが、これに限定されるものではない。ａ寸法については建物の大きさに応じて適宜設定すればよい。
【００５８】
また、第一実施形態では、断面視クランク形状の下地部材を用いたが、これに限定されるものではなく、天井面材を留め付けることができればどのような形状であってもよい。また、第一実施形態では切返し梁３の下に第一切返し下地部材１１と第二切返し下地部材１２と２本の下地部材を設けたが、これらを１本の下地部材で構成してもよい。また、本実施形態では、第一切返し下地部材１１に沿って目地Ｇ２が形成され、第二切返し下地部材１２に沿って目地Ｈ３が形成されるようにしたが、第一切返し下地部材１１に沿って目地Ｈ３が形成され、第二切返し下地部材１２に沿って目地Ｇ２が形成されるように構成してもよい。
【００５９】
また、第一実施形態では、下張り調整面材３２を第一切返し下地部材１１と、第一切返し下地部材１１に隣接する第二下地部材２２とに架け渡したが、下張り調整面材３２の横方向の長さをさらに６０６ｍｍ長くして、第一切返し下地部材１１と第一切返し下地部材１１から二本隣の第二下地部材２２とに架け渡してもよい。この場合はそれに伴って、隣接する第二下張り面材の横方向の長さを６０６ｍｍ短くしてもよい。
【００６０】
［第二実施形態］
次に本発明の第二実施形態に係る天井の施工方法について説明する。第二実施形態では、第一切返し下地部材１１を第一床根太１に固定する点で、第一実施形態と相違する。
【００６１】
第二実施形態に係る天井の施工方法では、床根太を掛け渡す床根太配設工程と、床根太に下地部材を固定する下地部材固定工程と、下地部材に下張り面材を留め付ける下張り面材固定工程と、下地部材に上張り面材を留め付ける上張り面材固定工程と、を行う。
【００６２】
図１１は、第二実施形態に係る天井の施工方法の床根太配設工程を示す模式平面図であって、一階側から天井を見た図である。図１２は、図１１のV-V断面図である。図１３は、第二実施形態に係る天井の施工方法の下張り面材固定工程を示す図であって、一階側から天井を見た図である。図１４は、第二実施形態に係る天井の施工方法の上張り面材固定工程を示す図であって、一階側から天井を見た図である。
【００６３】
図１１に示すように、床根太配設工程では、第一実施形態と同様に、第一床根太１、第二床根太２及び切返し梁３を配設する。そして、図１２に示すように、切返し梁３の隣の第一床根太１’に下地受け部材４を添設する。第一床根太１，１間の寸法、第一床根太１’と切返し梁３との寸法、第二床根太２，２間の寸法は例えば４５５ｍｍに設定する。
【００６４】
図１１及び図１２に示すように、下地部材固定工程では、まず、第一床根太１’の下面に第一床根太１’と平行に第一切返し下地部材１１を固定する。続いて、第一床根太１に直交するように複数の第一下地部材２１を固定する。第一下地部材２１の一端は下地受け部材４にも固定する。第一下地部材２１，２１間の寸法は例えば６０６ｍｍに設定する。
【００６５】
続いて、切返し梁３の下面に切返し梁３と平行に第二切返し下地部材１２を固定する。第二切返し下地部材１２と第一切返し下地部材１１間の寸法は例えば４５５ｍｍに設定する。そして、第二床根太２に直交するように複数の第二下地部材２２を固定する。第二下地部材２２，２２間の寸法は例えば６０６ｍｍに設定する。
【００６６】
図１３に示すように、下張り面材固定工程では、複数の第一下張り面材３１を第一下地部材２１に隙間無く留め付ける。第一下張り面材３１は、標準サイズを縦使いで用いる。板厚は適宜設定すればよいが、本実施形態では例えば１２ｍｍに設定する。
【００６７】
具体的には、第一下張り面材３１ａ，３１ｂを第一切返し下地部材１１に沿わせつつ、第一下張り面材３１ａ，３１ｂの長手方向と第一下地部材２１の長手方向とを直交させる。さらに、第一下張り面材３１ａ，３１ｂと４本の第一下地部材２１とが対応するように位置させ、第一下張り面材３１ａ，３１ｂと第一下地部材２１及び第一切返し部材１１をビスで留め付ける。他の第一下張り面材においては、隣り合う第一下張り面材３１，３１の長辺同士を合わせて、第一下張り面材３１，３１同士の目地Ｇ１が格子状を呈するように留め付ける。
【００６８】
続いて、下張り面材固定工程では、複数の下張り調整面材３２を隙間無く留め付ける。下張り調整面材３２は、縦寸法９１０ｍｍ×横寸法２５７７ｍｍのものを用いる。板厚は、第一下張り面材３１と同等である。下張り調整面材３２の一端側は第一切返し下地部材１１に対応させつつ第二切返し下地部材１２及び第二下地部材２２’’を跨いで第二下地部材２２’に対応させる。そして、下張り調整面材３２と第一切返し下地部材１１、第二切返し下地部材１２及び第二下地部材２２’，２２’’をビスで留め付ける。第一下張り面材３１ａ，３１ｂと下張り調整面材３２との目地Ｇ２が、第一切返し下地部材１１に沿って形成されるように配設する。
【００６９】
続いて、下張り面材固定工程では、複数の第二下張り面材３３を隙間無く第二下地部材２２に留め付ける。第二下張り面材３３は、標準サイズを横使いで用いる。第二下張り面材３３の板厚は第一下張り面材３１と同等である。
【００７０】
具体的には、第二下張り面材３３の長手方向と第二下地部材２２の長手方向を直交させつつ、４本の第二下地部材２２が対応するように位置させ、それぞれビスＫで留め付ける。第二下張り面材３３と下張り調整面材３２との目地Ｇ４が、第二下地部材２２’に沿って形成されるように配設する。
【００７１】
なお、第一下張り面材３１、下張り調整面材３２及び第二下張り面材３３と各壁組み（図示省略）との隙間部分には、適宜その隙間の大きさに合わせて下張り面材を留め付ける。第一下張り面材３１、下張り調整面材３２及び第二下張り面材３３を留め付ける順番については、前記した方法に限定されるものではない。
【００７２】
図１４に示すように、上張り面材固定工程では、第一下張り面材３１の下から、複数の第一上張り面材４１を第一下地部材２１にビスで留め付ける。第一上張り面材４１は、標準サイズを縦使いで用いる。第一上張り面材４１の板厚は適宜設定すればよいが、本実施形態では例えば１２ｍｍに設定する。
【００７３】
切返し梁３の直下に配設される第一上張り面材４１ａは、第一切返し下地部材１１を１本跨いで第二切返し下地部材１２と第一床根太１に対応させつつ、４本の第一下地部材２１が対応するように位置させ、それぞれビスで留め付ける。他の第一上張り面材４１は、４本の第一下地部材２１が対応するように位置させつつ、横方向に隣り合う第一上張り面材４１，４１同士を第一下地部材２１の１本分、つまり、６０６ｍｍずらしながらビスで留め付ける。これにより、複数の第一上張り面材４１は、第一下張り面材３１，３１同士の目地Ｇ１を覆いつつ千鳥状に配設される。
【００７４】
続いて、上張り面材固定工程では、下張り調整面材３２及び第二下張り面材３３の下から、上張り調整面材４２と第二上張り面材４３を第二下地部材２２に留め付ける。上張り調整面材４２は、縦寸法９１０ｍｍ×横寸法６０６ｍｍのものを用いる。第二上張り面材４３は、標準サイズを横使いで用いる。上張り調整面材４２と第二上張り面材４３の板厚は第二上張り面材４１と同等である。
【００７５】
上張り面材固定工程では、切返し梁３の直下に配設される上張り調整面材４２ａ，４２ｂを、縦方向に９１０ｍｍあけて、第二切返し下地部材１２と、第二下地部材２２’が対応するように位置させ、それぞれビスで留め付ける。さらに、上張り調整面材４２ａ，４２ｂの間において、切返し梁３の直下に配設される第二上張り面材４３ａを、第二切返し下地部材１２と、３本の第二下地部材２２が対応するように位置させ、それぞれビスで留め付ける。他の第二上張り面材４３は、上張り調整面材４２、第二上張り面材４３の隣に隙間なく留め付ける。これにより、複数の第二上張り面材４３は、第二下張り面材３３，３３同士の目地Ｇ４，Ｇ５を覆いつつ千鳥状に配設される。
【００７６】
このようにして形成された天井構造Ｔ１によれば、第一下地部材２１，２１同士の間隔及び第二下地部材２２，２２同士の間隔を４５５ｍｍよりも広い６０６ｍｍモジュールとすることができるため、部品点数を少なくすることができるとともに、作業手間も少なくすることができる。
【００７７】
また、切返し梁３を境に、第一床根太１の配設方向と第二床根太２の配設方向が変化する場合において、第一下地部材２１，２１同士の間隔及び第二下地部材２２，２２同士の間隔を６０６ｍｍモジュールとしても下張り面材の目地と上張り面材の目地とをずらすことができる。
【００７８】
具体的には、図１４に示すように、第一下張り面材３１と下張り調整面材３２との目地Ｇ２と、第一上張り面材４１と上張り調整面材４２と及び第二上張り面材４３との目地Ｈ３とが、切返し梁３周囲で幅方向にずれている。このため、第一下張り面材３１、下張り調整面材３２及び第二下張り面材３３によって形成された目地Ｇ１，Ｇ２，Ｇ３，Ｇ４，Ｇ５は、第一上張り面材４１、上張り調整面材４２及び第二上張り面材４３によって形成された目地Ｈ１，Ｈ３，Ｈ４と上下方向に直線状に連通せずに第一上張り面材４１、上張り調整面材４２及び第二上張り面材４３によって覆われる。
【００７９】
言い換えると、切返し梁３の隣の第一床根太１’に第一切返し下地部材１１を設けるとともに、切返し梁３に第二切返し下地部材１２を設け、第一下張り面材３１と下張り調整面材３２との直線状の目地Ｇ２と、第一上張り面材４１と上張り調整面材４２との目地Ｈ３及び第一上張り面材４１と第二上張り面材４３との目地Ｈ３とを幅方向でずらしている。これにより、下張り面材同士の目地と上張り面材同士の目地とが上下方向に直線状に連通しなくなるため、熱や火炎が面材の裏側に進入し難くなる。これにより、耐火性能を向上させることができる。
【００８０】
また、下張り調整面材３２を用いることで、標準サイズの第一下張り面材３１及び第二下張り面材３３の四つの角部が全て第一下地部材２１又は第二下地部材２２に対応するように隙間無く配設することができる。
【００８１】
また、上張り調整面材４２を用いることで、標準サイズの第一上張り面材４１及び第二上張り面材４３の四つの角部が全て第一下地部材２１又は第二下地部材２２に対応するとともに、隙間無く千鳥状に配設することができる。
【００８２】
以上本発明の実施形態について説明したが、本発明の趣旨に反しない範囲において適宜設計変更が可能である。例えば、本実施形態では、天井を構築する場合を例示したが、本発明では壁面材と柱等とで壁を構築してもよい。また、実施形態で説明した根太（支持部材）、下地部材、面材の個数はあくまで例示であって本発明を限定するものではない。
【符号の説明】
【００８３】
１      第一床根太（第一支持部材）
２      第二床根太（第二支持部材）
３      切返し梁（切返し部材）
４      下地受け部材
１１    第一切返し下地部材
１２    第二切返し下地部材
１３    第一固定板部
１４    第二固定板部
１５    連結板部
２１    第一下地部材
２２    第二下地部材
３１    第一下張り面材
３２    下張り調整面材
３３    第二下張り面材
４１    第一上張り面材
４２    上張り調整面材
４３    第二上張り面材
Ｇ１〜Ｇ５    目地
Ｈ１〜Ｈ５    目地
Ｔ      天井構造
【図１】
0005476345.tif 000002
【図２】
0005476345.tif 000003
【図３】
0005476345.tif 000004
【図４】
0005476345.tif 000005
【図５】
0005476345.tif 000006
【図６】
0005476345.tif 000007
【図７】
0005476345.tif 000008
【図８】
0005476345.tif 000009
【図９】
0005476345.tif 000010
【図１０】
0005476345.tif 000011
【図１１】
0005476345.tif 000012
【図１２】
0005476345.tif 000013
【図１３】
0005476345.tif 000014
【図１４】
0005476345.tif 000015
【図１５】
0005476345.tif 000016
【図１６】
0005476345.tif 000017
【図１７】
0005476345.tif 000018